(57)【要約】  【課題】  住宅にて異常が発生した場合、個々のユーザに応じた音声ガイドにより異常の発生を通知できるようにする。  【解決手段】  センサ１２により異常が検出された場合、ユーザ情報と、異常が検出されたセンサ１２に対応するセンサ情報とをメモリ１０２Ｂから読み出し、読み出されたユーザ情報およびセンサ情報に基づきテキスト情報を作成し、作成されたテキスト情報を音声化して１または２以上の端末装置４に通知する。これにより、住宅１における異常の発生をより的確にユーザに音声で通知することができる。【選択図】  図２
2005115835.tif 000002
【特許請求の範囲】
【請求項１】
１または２以上の端末装置と通信する第１の通信手段と、
センサからの検出信号を受信する受信手段と、
少なくともユーザ情報を格納する格納手段と
を備えるセキュリティ装置と、
上記セキュリティ装置と通信するための第２の通信手段と、
上記第２の通信手段により受信された音声情報を音声化して出力する出力手段と
を備える端末装置と
を有し、
上記セキュリティ装置は、センサにより異常が検出された場合、上記ユーザ情報を上記格納手段より読み出し、読み出された上記ユーザ情報に基づきテキスト情報を作成し、作成された上記テキスト情報を音声情報に変換して上記第１の通信手段により１または２以上の上記端末装置に通知することを特徴とするセキュリティシステム。
【請求項２】
上記ユーザ情報は、ユーザ名、上記異常の発生位置を特定するための住所および、上記音声情報を１または２以上の上記端末装置に通知するための通知先情報を少なくとも含むことを特徴とする請求項１記載のセキュリティシステム。
【請求項３】
上記格納手段は、センサ情報をさらに格納し、
上記セキュリティ装置は、センサにより異常が検出された場合、上記ユーザ情報および異常を検出した上記センサに対応するセンサ情報を上記格納手段より読み出し、読み出された上記ユーザ情報および上記センサ情報に基づきテキスト情報を作成し、作成された上記テキスト情報を音声情報に変換して上記第１の通信手段により１または２以上の上記端末装置に通知することを特徴とする請求項１記載のセキュリティシステム。
【請求項４】
上記センサ情報は、センサの設置位置を少なくとも含むことを特徴とする請求項３記載のセキュリティシステム。
【請求項５】
上記セキュリティ装置は時刻を計測する時刻計測手段をさらに備え、
上記セキュリティ装置は、センサにより異常が検出された場合、上記ユーザ情報を上記格納手段より読み出し、読み出された上記ユーザ情報と、上記時刻計測手段により計測された時刻とに基づきテキスト情報を作成し、作成された上記テキスト情報を音声情報に変換して上記第１の通信手段により１または２以上の上記端末装置に通知することを特徴とする請求項１記載のセキュリティシステム。
【請求項６】
上記セキュリティ装置は、上記通知の項目を定型化したテンプレートを有し、該テンプレートの対応位置に上記ユーザ情報を挿入することにより上記テキスト情報を作成することを特徴とする請求項１記載のセキュリティシステム。
【請求項７】
上記セキュリティ装置は、さらに作成された上記テキスト情報を１または２以上の上記端末装置に通知することを特徴とする請求項１記載のセキュリティシステム。
【請求項８】
上記セキュリティ装置と通信する第３の通信手段と、
少なくともユーザ情報を格納するデータベースと
を備えたサーバをさらに有し、
上記サーバは、上記第３の通信手段を介して上記セキュリティ装置と通信して、上記セキュリティ装置の上記格納手段の内容と上記データベースの内容との同期をとるようにしたことを特徴とする請求項１記載のセキュリティシステム。
【請求項９】
上記サーバは、センサにより異常が検出されたことが通知されたときには、上記セキュリティ装置に対応するユーザ情報を上記データベースから読み出し、読み出された上記ユーザ情報に基づきテキスト情報を作成し、作成された上記テキスト情報を１または２以上の上記端末装置に通知することを特徴とする請求項８記載のセキュリティシステム。
【請求項１０】
ユーザ情報を格納する格納手段と、
センサからの検出信号を受信する受信手段と、
１または２以上の端末装置と通信する通信手段とを備え、
センサにより異常が検出された場合、上記ユーザ情報を上記格納手段より読み出し、読み出された上記ユーザ情報に基づきテキスト情報を作成し、作成された上記テキスト情報を音声情報に変換して上記通信手段により１または２以上の端末装置に通知することを特徴とするセキュリティ装置。
【請求項１１】
上記ユーザ情報は、上記ユーザ情報は、ユーザ名、上記異常の発生位置を特定するための住所および、上記音声情報を１または２以上の上記端末装置に通知するための通知先情報を少なくとも含むことを特徴とする請求項１０記載のセキュリティ装置。
【請求項１２】
上記格納手段は、センサ情報をさらに格納し、
センサにより異常が検出された場合、上記ユーザ情報および異常を検出した上記センサに対応するセンサ情報を上記格納手段より読み出し、読み出された上記ユーザ情報および上記センサ情報に基づきテキスト情報を作成し、作成された上記テキスト情報を音声情報に変換して上記通信手段により１または２以上の上記端末装置に通知することを特徴とする請求項１０記載のセキュリティ装置。
【請求項１３】
上記センサ情報は、センサの設置位置を少なくとも含むことを特徴とする請求項１２記載のセキュリティ装置。
【請求項１４】
上記セキュリティ装置は時刻を計測する時刻計測手段をさらに備え、
センサにより異常が検出された場合、上記ユーザ情報を上記格納手段より読み出し、読み出された上記ユーザ情報と、上記時刻計測手段により計測された時刻とに基づきテキスト情報を作成し、作成された上記テキスト情報を音声情報に変換して上記通信手段により１または２以上の上記端末装置に通知することを特徴とする請求項１０記載のセキュリティ装置。
【請求項１５】
上記通知の項目を定型化したテンプレートを有し、該テンプレートの対応位置に上記ユーザ情報を挿入することにより上記テキスト情報を作成することを特徴とする請求項１０記載のセキュリティ装置。
【請求項１６】
さらに作成された上記テキスト情報を１または２以上の上記端末装置に通知することを特徴とする請求項１０記載のセキュリティ装置。
【請求項１７】
センサにより異常が検出された場合、少なくともユーザ情報を格納手段より読み出す第１のステップと、
読み出された上記ユーザ情報に基づきテキスト情報を作成する第２のステップと、
作成された上記テキスト情報を音声情報に変換して通信手段により１または２以上の端末装置に通知する第３のステップと
を備えることを特徴とするセキュリティ情報通知方法。
【請求項１８】
上記ユーザ情報は、ユーザ名、上記異常の発生位置を特定するための住所および、上記音声情報を１または２以上の上記端末装置に通知するための通知先情報を少なくとも含むことを特徴とする請求項１７記載のセキュリティ情報通知方法。
【請求項１９】
上記格納手段は、センサ情報をさらに格納し、
第１のステップでは、センサにより異常が検出された場合、上記ユーザ情報および異常を検出した上記センサに対応するセンサ情報を格納手段より読み出し、
第２のステップでは、読み出された上記ユーザ情報および上記センサ情報に基づきテキスト情報を作成することを特徴とする請求項１７記載のセキュリティ情報通知方法。
【請求項２０】
上記センサ情報は、センサの設置位置を少なくとも含むことを特徴とする請求項１９記載のセキュリティ情報通知方法。
【請求項２１】
上記第２のステップでは、読み出された上記ユーザ情報と、時刻計測手段により計測された時刻とに基づきテキスト情報を作成することを特徴とする請求項１７記載のセキュリティ情報通知方法。
【請求項２２】
上記第２のステップでは、通知の項目を定型化したテンプレートの対応位置にユーザ情報を挿入することによりテキスト情報を作成することを特徴とする請求項１７記載のセキュリティ情報通知方法。
【請求項２３】
作成された上記テキスト情報を通信手段を介して１または２以上の上記端末装置に通知する第４のステップをさらに備えることを特徴とする請求項１７記載のセキュリティ情報通知方法。
【発明の詳細な説明】
【技術分野】
【０００１】
この発明は、例えば、住宅において発生した異常をユーザに通知することができるセキュリティ装置、セキュリティ情報通知方法およびセキュリティシステムに関する。
【背景技術】
【０００２】
従来、住宅内において異常が発生した場合に、警備会社ばかりではなく外出先のユーザにも通知することができるセキュリティシステムが知られている。図２０は、従来のセキュリティシステムを概略的に示す。住宅４１０に、宅内セキュリティ装置４１３が設置される。また、住宅４１０の１乃至数ヶ所に、住宅４１０内の異常を検出するセンサ４１１および住宅４１０内の画像を撮影する監視カメラ４１２が設置される。監視カメラ４１２およびセンサ４１１は、宅内セキュリティ装置４１３に接続され、監視カメラ４１２による撮影映像やセンサ４１１による検出信号が宅内セキュリティ装置４１３に送信される。また、宅内セキュリティ装置４１３が監視カメラ４１２の動作を制御する。
【０００３】
また、宅内セキュリティ装置４１３は、専用回線または公衆回線４３１を介して、警備会社４２０に設置された監視装置４２１に接続される。監視カメラ４１２による撮影映像や、センサ４１１による検出信号は、宅内セキュリティ装置４１３から監視装置４２１に送信される。また、宅内セキュリティ装置４１３は、電話回線網を介して携帯電話機４４０に接続される。宅内セキュリティ装置４１３は、異常発生時にユーザに送信するための文書データを予め格納する。
【０００４】
住宅４１０において、侵入者など異常が発生し、それがセンサ４１１に検出されたときは、監視カメラ４１２にて画像が撮影され、撮影された画像が宅内セキュリティ装置４１３を介して監視装置４２１に送信される。また、住宅４１０にて異常が発生したことをユーザに知らせるために、予め格納された文書が電子メールにより携帯電話機４４０に通知される。
【０００５】
また、近年では、文書データによる電子メールに代えて音声により、住宅４１０にて異常が発生したことを知らせるセキュリティシステムが考えられている。この場合、宅内セキュリティシステムには、文書データに代えて、予め録音された音声データが格納される。
【発明の開示】
【発明が解決しようとする課題】
【０００６】
ところが、上述のセキュリティシステムでは、異常が発生したことを工場出荷時に録音された音声データによるメッセージでユーザに通知するため、個々のユーザに応じたメッセージにより異常を通知することができない。すなわち、通知を受けたユーザは、何時、何処で、どのような異常が発生したか、といったカスタマイズされた情報、その時点固有の情報を知ることができない。
【０００７】
したがって、この発明の目的は、住宅にて異常が発生した場合、個々のユーザに応じた音声ガイドにより異常の発生を通知することができるセキュリティ装置、セキュリティ情報通知方法およびセキュリティシステムを提供することにある。
【課題を解決するための手段】
【０００８】
上記課題を解決するために、第１の発明は、１または２以上の端末装置と通信する通信手段と、
センサからの検出信号を受信する受信手段と、
少なくともユーザ情報を格納する格納手段と
を備えるセキュリティ装置と、
セキュリティ装置と通信するための通信手段と、
通信手段により受信された音声情報を音声化して出力する出力手段と、
を備える端末装置と
を有し、
セキュリティ装置は、センサにより異常が検出された場合、ユーザ情報を格納手段より読み出し、読み出されたユーザ情報に基づきテキスト情報を作成し、作成されたテキスト情報を音声情報に変換して通信手段により１または２以上の端末装置に通知することを特徴とするセキュリティシステムである。
【０００９】
第２の発明は、ユーザ情報およびセンサ情報を格納する格納手段と、
センサからの検出信号を受信する受信手段と、
１または２以上の端末装置と通信する通信手段とを備え、
センサにより異常が検出された場合、ユーザ情報を格納手段より読み出し、読み出されたユーザ情報に基づきテキスト情報を作成し、作成されたテキスト情報を音声情報に変換して通信手段により１または２以上の端末装置に通知する制御手段と
を備えることを特徴とするセキュリティ装置である。
【００１０】
第３の発明は、センサにより異常が検出された場合、少なくともユーザ情報を格納手段より読み出す第１のステップと、
読み出されたユーザ情報に基づきテキスト情報を作成する第２のステップと、
作成されたテキスト情報を音声情報に変換して通信手段により１または２以上の端末装置に通知する第３のステップと
を備えることを特徴とするセキュリティ情報通知方法である。
【００１１】
この発明によれば、検出手段により異常が検出された場合、ユーザ情報と、異常を検出した検出手段に対応する検出手段関連情報とを格納手段より読み出し、読み出されたユーザ情報および検出手段関連情報に基づきテキスト情報を作成し、作成されたテキスト情報を音声情報に変換して通信手段により１または２以上の端末装置に通知するため、個々のユーザに応じた音声ガイドにより異常の発生を通知することができる。
【発明の効果】
【００１２】
以上説明したように、この発明によれば、個々のユーザに応じた音声ガイドにより異常の発生を通知することができ、これにより、異常の発生をより的確にユーザに音声で通知することができる。
【発明を実施するための最良の形態】
【００１３】
以下、この発明の実施の一形態を、図面を参照しながら説明する。図１は、この発明によるセキュリティシステムを概略的に示す。住宅１に、宅内セキュリティ装置１０が設置される。また、住宅１の１乃至数箇所に、監視カメラ１１およびセンサ１２が設置される。監視カメラ１１およびセンサ１２は、宅内セキュリティ装置１０に接続され、監視カメラ１１による撮影映像やセンサ１２による検出信号が宅内セキュリティ装置１０に送信される。また、宅内セキュリティ装置１０は、監視カメラ１１の動作を制御する。
【００１４】
宅内セキュリティ装置１０は、図示されないインターネットなどのネットワークを介して、ホームセキュリティ（ＨＳ）サーバ２に接続される。監視カメラ１１による撮影映像や、センサ１２による検出信号は、宅内セキュリティ装置１０からこのＨＳサーバ２に送信される。宅内セキュリティ装置１１は、ユーザの連絡先や、ユーザが住む住宅１の住所などに関するユーザ情報および、当該住宅１に設置されたセンサ１２や監視カメラ１１などに関するセンサ情報などを格納することができる。また、ＨＳサーバ２は、ユーザの連絡先や、ユーザが住む住宅１の住所などに関するユーザ情報および、当該住宅１に設置されたセンサ１２や監視カメラ１１などに関するセンサ情報などを格納するデータベースを有する。そのデータベースは宅内セキュリティ装置１０と同期が図られ、共有化されている。
【００１５】
住宅１において、侵入者など異常が発生し、それがセンサ１２に検出されたときは、宅内セキュリティ装置１０が、監視カメラ１１を自動的に起動し、住宅１内部の様子を静止画や動画によって撮影し、撮影された画像データをネットワークを介してＨＳサーバ２に送信する。また、宅内セキュリティ装置１０は、ユーザ情報と、異常を検出したセンサ１２に対応するセンサ情報とを読み出し、読み出されたユーザ情報およびセンサ情報に基づきテキスト情報を作成し、作成されたテキスト情報を図示されていないネットワークを介して該当するユーザの連絡先とされている端末装置４にメールで通知する。また宅内セキュリティ機器１０でも同様のプロセスを経てテキスト情報が作成され、図示されていない電話回線網を経由して端末装置４に音声で通知する。
【００１６】
また、連絡先の端末装置４が画像の受信および表示が可能な携帯電話端末であれば、ＨＳサーバ２にアクセスすることで監視カメラ１１で撮影された静止画像若しくは動画像の一部を閲覧することができる。
【００１７】
ＰＣ３は、例えばパーソナルコンピュータといった情報機器であって、図示されないネットワークを介してＨＳサーバ２に接続される。また、ＰＣ３は、ネットワークを介して宅内セキュリティ装置１０に接続される。情報機器３とＨＳサーバ２との間で例えばユーザＩＤとパスワードを用いて認証処理１３を行うことで、情報機器３と宅内セキュリティ装置１０とを接続し、監視カメラ１１で撮影された映像を情報機器３でモニタするようにできる。
【００１８】
図２は、上述したセキュリティシステムをより詳細に示す。宅内セキュリティ装置１０は、バス１００を有し、バス１００に対してプロセッサ１０１、メモリ１０２Ａ、不揮発性メモリ１０２Ｂ、クロック部１０３、表示インターフェイス（Ｉ／Ｆ）１０４、センサＩ／Ｆ１０５、カメラＩ／Ｆ１０６、映像Ｉ／Ｆ１０７、通信Ｉ／Ｆ１０８および受信部１１０がそれぞれ接続される。なお、図では省略されているが、メモリ１０２Ａは、ＲＡＭ(Random Access Memory)およびＲＯＭ(Read Only Memory)である。プロセッサ１０１は、ＲＯＭに予め記憶されたプログラムに従い、ＲＡＭをワークメモリとして用いて動作し、この宅内セキュリティ装置１０の全体を制御する。また、メモリ１０２Ｂには、ユーザ情報およびセンサ情報が格納されている。
【００１９】
クロック部１０３は、クロックを発生させる。このクロックに基づき、現在時刻など時刻情報および日付情報を得ることができる。表示Ｉ／Ｆ１０４は、例えばプロセッサ１０１で生成されバス１００を介して供給された表示制御信号を、モニタ装置であるテレビジョン受像機２０で表示可能な信号に変換して出力する。
【００２０】
上述したように、住宅１には、異常の発生を検出するためのセンサ１２、１２、・・・が設置される。センサ１２、１２、・・・は、窓やドアが開けられたことを感知するタイプや、窓が破られたことを感知するタイプ、赤外線センサにより熱源を検出して侵入者を感知するタイプなどを用いることができる。これらセンサ１２、１２、・・・からの感知出力は、センサＩ／Ｆ１０５に供給されプロセッサ１０１で利用可能な形式に変換されてプロセッサ１０１に供給される。
【００２１】
住宅１に設置されるカメラ１１、１１、・・・は、映像撮影のための光学系を主体としたカメラ本体部１１Ａと、カメラ本体部１１Ａの姿勢や動きを制御する機構部１１Ｂとからなる。
【００２２】
カメラ本体部１１Ａ、１１Ａ、・・・は、制御信号に応じて静止画像および動画像を撮影することが可能とされる。カメラ本体部１１Ａ、１１Ａ、・・・は、映像Ｉ／Ｆ１０７に接続され、カメラ本体部１１Ａ、１１Ａ、・・・で撮影された撮影画像データが映像Ｉ／Ｆ１０７を介してプロセッサ１０１に供給されると共に、カメラ本体部１１Ａ、１１Ａ、・・・を制御するための制御信号のカメラ本体部１１Ａ、１１Ａ、・・・と映像Ｉ／Ｆ１０７との間でのやり取りが行われる。カメラ本体部１１Ａは、制御信号により、例えば静止画および動画の何れを撮影するかの選択や、シャッタなど撮影に必要な制御を行うことができる。撮影画像データは、例えば、プロセッサ１０１で所定に処理された後、メモリ１０２Ｂに一時的に蓄えられる。
【００２３】
一方、機構部１１Ｂ、１１Ｂ、・・・は、カメラＩ／Ｆ１０６に接続され、カメラＩ／Ｆ１０６から供給される制御信号に応じてカメラ本体部１１Ａの姿勢を制御する。例えば、制御信号により水平および垂直方向の角度を指定することで、デフォルト位置に対して指定された角度に向くように、カメラ本体部１１Ａの姿勢を制御する。なお、この実施の一形態で用いられる機構部１１Ｂ、１１Ｂ、・・・は、可動範囲に制限があり、例えば水平方向では１２０ーの範囲でカメラ本体部１１Ａの向きを制御することができる。
【００２４】
通信Ｉ／Ｆ１０８は、インターネット３０などのネットワークと所定の通信回線で接続され、当該ネットワークを介してなされる通信を制御する。監視カメラ１１、１１、・・・で撮影された画像データをインターネット３０に対して送信する必要があるので、例えばＡＤＳＬ(Asymmetric Digital Subscriber Line)といった、より高速な通信が可能な通信回線を用いるのが好適である。
【００２５】
音声通信部１０９は、通信Ｉ／Ｆ１０８と接続され、電話回線網３１を用いて音声による通信を行う。例えば、プロセッサ１０１においてユーザ情報を用いて作成された個別のテキスト情報に基づき合成された音声データが通信Ｉ／Ｆ１０８を介して音声通信部１０９に供給される。また、音声通信部１０９に対して通話先の電話番号が通知される。音声通信部１０９では、通知された電話番号に電話をかけ、供給された音声データを音声信号として電話回線網３１に対して送信する。受信部１１０は、遠隔操作装置４０から送信されたコマンドを受信する。プロセッサ１０１は、受信部１１０により受信されたコマンドに対応する動作を実行する。
【００２６】
上述した構成において、住宅１で侵入者など異常が発生し、それがセンサ１２に検出されたときは、監視カメラ１１が自動的に起動され、住宅１内部の様子が静止画像や動画像によって撮影される。このとき、監視カメラ１１は、異常が検出されたセンサ１２の方向に自動的に向けられて撮影が行われる。また、撮影は、最初に静止画像が撮影され、次に監視カメラ１１の可動範囲をパンしながら静止画像が数枚撮影され、さらに可動範囲をパンしながら動画像が撮影される。撮影された画像データは、撮影毎に宅内セキュリティ装置１０に送られ、インターネット３０を介してＨＳサーバ２に送信される。
【００２７】
また、住宅１で侵入者など異常が発生し、それがセンサ１２に検出されたときは、ユーザ情報と、異常を検出したセンサ１２に対応するセンサ情報とがメモリ１０２Ｂから読み出され、読み出されたユーザ情報およびセンサ情報に基づきテキスト情報が作成され、作成されたテキスト情報が音声化され、電話回線網３１を介して該当するユーザの連絡先とされている端末装置４に通知される。
【００２８】
ＨＳサーバ２は、住宅１の宅内セキュリティ装置１０から異常が通知されると、データベースを参照してユーザの連絡先を検索し、図示されない電話回線網を介して、該当するユーザの連絡先とされている端末装置４に対して異常が発生した旨を連絡する。連絡は、例えば、異常通知とユーザ情報に基づき自動的に作成されたテキストデータを、合成音声で読み上げることでなされる。また、連絡先の端末装置４が画像の受信および表示が可能な端末装置（例えば画像表示機能付き携帯電話端末）であれば、監視カメラ１１で撮影された静止画像若しくは動画像の一部を、当該端末装置４に対して送信することができる。
【００２９】
なお、ユーザが警備会社３２などに契約していれば、ユーザ（端末装置４）に対する異常通知と共に、必要に応じて、ＨＳサーバ２から警備会社３２に対して同様にして異常が発生した旨が通知される。
【００３０】
また、インターネット３０に接続された例えばパーソナルコンピュータ（ＰＣ）といった情報機器３を用いて、監視カメラ１１で撮影されている映像をモニタすることができる。情報機器３からＨＳサーバ２にインターネット３０を介して接続し、情報機器３とＨＳサーバ２との間で例えばユーザＩＤとパスワードとを用いて認証処理を行う。
【００３１】
認証が正しく行われると、ＨＳサーバ２によって宅内セキュリティ装置１０のポートが情報機器３に対して開かれ、情報機器３と宅内セキュリティ装置１０とがネットワークを介して接続される。そして、宅内セキュリティ装置１０において暗号化／復号化のための鍵が生成され、この鍵が宅内セキュリティ装置１０から情報機器３に対して渡される。
【００３２】
情報機器３と宅内セキュリティ装置１０とがインターネット３０を介して接続され宅内セキュリティ装置１０のポートが情報機器３に対して開かれると、ユーザの情報機器３に対する操作に応じて宅内セキュリティ装置１０により監視カメラ１１が制御され、監視カメラ１１による撮影が行われる。撮影された画像データは、宅内セキュリティ装置１０で生成された鍵を用いて暗号化され、ネットワークを介して情報機器３に送信される。情報機器３では、事前に宅内セキュリティ装置１０から渡された鍵を用いて送信された画像データを復号化し、元の画像データを復元して表示部に表示させる。
【００３３】
なお、この情報機器３を用いた、監視カメラ１１で撮影されている映像のモニタは、上述のようにセンサ１２、１２、・・・において異常が感知されていないときに行われる。センサ１２、１２、・・・に異常が検知された場合には、当該異常に対する上述した処理が優先的に実行される。
【００３４】
図３は、この発明による宅内セキュリティ装置１０のメモリ１０２Ｂに格納された情報の一例を示す。図３に示すように、この情報は、ユーザ情報およびセンサ情報からなる。ユーザ情報は、例えば、サービスメニュー、ハードウエア、ユーザ毎に固有であるユーザＩＤ、宅内セキュリティ装置１０の操作に必要なパスワード、住宅１の住所、ユーザの氏名、通知先情報などの情報からなる。通知先情報は、例えば端末装置４の電話番号であり、端末装置４がメールアドレスを有している場合には、メールアドレスを通知先情報に含めることが好ましい。これに限らず、ユーザが他の通知先を有している場合には、それらの電話番号およびメールアドレスも通知先情報に含めることができる。センサ情報は、例えば、センサ１２毎に固有な番号であるセンサ番号、住宅１内におけるセンサ１２が設置された階数、センサ１２が設置された部屋の種類、部屋内におけるセンサ１２が設置された位置、センサ１２のタイプ、住宅１に設置された監視カメラ１２の設定などの情報からなる。
【００３５】
図４は、遠隔操作装置４０の一構成例を示す上面図である。図４に示すように、遠隔操作装置４０の上面には、テンキー６９、４方向キー５０、機能キー７０などの複数の操作キーが備えられている。これらのキー操作に応じたコマンドが、遠隔操作装置４０から宅内セキュリティ装置１０に送信される。例えば、テンキー６９の操作により、数値の入力が行われる。４方向キー５０の操作により、表示画面におけるメニューや項目の移動が行われる。機能キー７０の操作により、各種機能が実行される。
【００３６】
図５は、この発明による端末装置４の構成の一例を示す。図５に示すように、この端末装置４は、アンテナ７１、通信部７２、モデム７３、信号処理回路７４、入出力回路７５、スピーカ７６、マイク７７、ＣＰＵ７８、表示部７９、キー８０およびメモリ８１を備える。
【００３７】
アンテナ７１は、宅内セキュリティ装置１０から送信された信号を受信し、通信部７２に供給する。通信部７２は、アンテナ７１で受信した音声信号をモデム７３に供給する。モデム７３は、伝送方式で予め決められた音声信号のデコードを行い、信号処理回路７４に供給する。信号処理回路７４は、モデム７３から供給された音声信号に所定の信号処理を施し、入出力回路７５を介してスピーカ７６に供給する。スピーカ７６は、信号処理回路７４から供給された音声信号に基づき音声を出力する。
【００３８】
また、マイク７７が、入力された音声を音声信号に変換し、入出力回路７５を介して信号処理回路７４に供給する。信号処理回路７４は、マイク７７から供給された音声信号に所定の信号処理を施し、この音声信号をモデム７３に供給する。モデム７３は、信号処理回路７４から供給された音声信号に対して、伝送方式で予め決められた音声信号へのエンコードを行い、通信部７２に供給する。送受回路７２は、モデム７３から供給された音声信号をアンテナ７１に供給する。アンテナ７１は、通信部７２から供給された信号を宅内セキュリティ装置１０に送信する。
【００３９】
ＣＰＵ７８は、端末装置４に備えられた各部を制御する。メモリ８１には、端末装置４の動作に必要なプログラムが記憶されるとともに、発信や受信に関する情報が記録されている。操作キー８０は、端末装置４を操作するためのものであり、具体的には、操作キー８０の操作に応じた制御信号がＣＰＵ７８に供給される。表示部７９には、電話番号などの各種情報や、宅内セキュリティ装置１０から受信したメールなどが表示される。
【００４０】
図６は、この発明によるＨＳサーバ２の構成の一例を示すブロック図である。図６に示すように、ＨＳサーバ２は、クロック部９０、ＣＰＵ(Central Processing Unit)９１、ＲＡＭ(Random Access Memory)９２、ＲＯＭ（Read Only Memory）９３、通信部９４、入力部９５、データベース９６、グラフィック部９７および表示部９８を備える。
【００４１】
ＣＰＵ９１は、バス９９を介して、ＨＳサーバ２内の各部を制御する。ＲＡＭ９２は、ＣＰＵ９１によりワークメモリとして用いられるＲＡＭである。ＲＯＭ９３は、起動に必要なプログラムなどを記憶するＲＯＭである。通信部９４は、ＣＰＵ９１の制御に基づき、インターネットなどのネットワーク３０に対する通信を制御する。入力部９５は、キーボードおよびマウスなどの入力装置である。データベース９６は、ユーザ情報およびセンサ情報を格納する。グラフィック部９７は、バス９９を介して供給される信号を、ＣＰＵ９１の制御に基づき、表示部９８に表示可能な信号に変換し、表示部９８に供給する。表示部９８は、グラフィック部９７から供給される信号に基づき、表示を行う。クロック部９０は、クロックを発生させる。このクロックに基づき、現在時刻など時刻情報および日付情報を得ることができる。
【００４２】
図７は、ＨＳサーバ２が有するデータベース９６のユーザ情報表の一例を示す。図７に示すように、ユーザ情報表は、ユーザに固有な情報であるユーザＩＤ、住宅１の住所、ユーザの氏名、通知先情報などの項目を有する。ここで、通知先情報は、通知先情報は、例えば端末装置４の電話番号であり、端末装置４がメールアドレスを有している場合には、メールアドレスを通知先情報に含めることが好ましい。これに限らず、ユーザが他の通知先を有している場合には、それらの電話番号およびメールアドレスも通知先情報に含めることができる。
【００４３】
図８は、ＨＳサーバ２が有するデータベース９６のセンサ情報表の一例を示す。図８に示すように、センサ情報表は、センサ１２に固有な番号であるセンサ番号、センサ１２のタイプ、住宅１内におけるセンサ１２が設置された階数、センサ１２が設置された部屋の種類、部屋内におけるセンサ１２が設置された位置、監視カメラ１２の設定などの項目を有する。
【００４４】
なお、ＨＳサーバ２と宅内セキュリティ装置１０とは、データの同期を図っている。すなわち、ＨＳサーバ２においてユーザ情報およびセンサ情報が変更された場合には、宅内セキュリティ装置１０に格納されたユーザ情報およびセンサ情報も自動的に変更されるようになっている。また、反対に、宅内セキュリティ装置１０においてユーザ情報およびセンサ情報が変更された場合には、ＨＳサーバ２に格納されたユーザ情報およびセンサ情報も自動的に変更されるようになっている。
【００４５】
情報機器３により、ＨＳサーバ２の有するデータベース９６に対するデータの入力や登録された項目の修正を行うことができる。例えば、情報機器３により、ネットワーク３０を介してＨＳサーバ２に接続し、データベース９６に対するデータの入力や内容の変更を要求する。情報機器３とＨＳサーバ２との間で、所定の認証処理が行われ、ＨＳサーバ２に情報機器３が認証されると、ＨＳサーバ２からデータベース９６のデータが情報機器３に送信され、情報機器３の表示部に表示される。ユーザはこの表示に基づき情報機器３に対してデータの入力や修正を行う。データ入力や修正の結果は、ネットワーク３０を介してＨＳサーバ２に送信される。ＨＳサーバ２では、データベース９６のユーザ情報やセンサ情報を更新する。そして、更新した内容に基づきセキュリティ装置１０のメモリ１０２Ｂに格納されたユーザ情報およびセンサ情報を更新する。これにより、ＨＳサーバ２と宅内セキュリティ装置１０との同期が取られる。
【００４６】
図９は、住宅１内における監視カメラ１１およびセンサ１２の設置位置の一例を示す。図９に示すように、庭に面した戸２０１、廊下に通じるドア２０２、台所に備えられたドア２０３、窓２０４、窓２０５には、それぞれ、センサ１２1，１２2，１２3，１２4，１２5が設置されている。センサ１２1〜１２5としては、例えば、窓、ドアなどの接点が開いたことを検出するマグネットセンサ、人間の体温を赤外線により感知するインフラレッドセンサ（人感センサ）、ガラスなどが叩き壊された場合に生じる振動を検出するガラスセンサなどが挙げられる。なお、これ以外にも、ジャロジーセンサ、シャッターセンサ、ガスセンサ、煙センサ、熱センサなどを設置箇所に応じて適宜用いるようにしてもよい。
【００４７】
センサ１２1〜１２5において異常が検出された場合に、監視カメラ１１の光軸が向けられる初期位置が宅内セキュリティ装置１０には設定されている。この初期位置は、通常、異常を検出するセンサ１２1〜１２5の設置位置である。なお、この初期位置の設定方法については後述する。
【００４８】
また、各初期位置は、アラームホームポジションとアラームポジションとに分けて設定される。アラームホームポジションは、セキュリティモードをオンにした場合に、監視カメラ１１の光軸が向けられる初期位置である。したがって、アラームホームポジションとしては、侵入者の侵入経路として最も確率の高い位置に設定することが好ましく、図９に示した配置例では、センサ１２1の設置位置がアラームポジションとして設定されている。なお、セキュリティモードは、宅内セキュリティ装置１０に接続されたカメラ１１およびセンサ１２を動作させるモードであり、例えばユーザの外出時に設定される。アラームポジションは、センサ１２2〜１２5が異常を検出した際に、監視カメラ１１の光軸が最初に向けられる初期位置である。図４に示した配置位置の例では、センサ１２2，１２3，１２4，１２5の設置位置が、それぞれ、アラームポジション１，２，３，４として設定されている。
【００４９】
以下、図１０〜１６を参照しながら、宅内セキュリティ装置１０の各表示画面および各表示画面における遠隔操作装置４０の操作について説明する。
図１０および図１１は、センサ設定時におけるインデックスメニュー画面の一例を示す。具体的には、図１０は、センサ登録がある場合のインデックスメニュー画面の一例を示し、図１１は、センサ登録数がない場合のインデックスメニュー画面の一例を示す。
【００５０】
図１０に示すように、センサ登録がある場合のインデックスメニュー画面は、インデックスメニュー表示欄３０１およびリスト表示部３０２を備える。インデックスメニュー表示欄３０１には、設定メニューとして、セキュリティモード、センサ、リモートキー、カメラ、ダイアルアップ、センサチェックなどが表示される。リスト表示部３０２は、住宅１内に配置したセンサ１２に関する情報であり、具体的には、センサ番号３０２ａ、センサタイプ３０２ｂ、センサ名称３０２ｃおよび撮影情報３０２ｄが表示される。センサ番号は、各センサ１２に付された番号であり、例えば、半角３文字までの文字列（１〜１００までの番号）を登録することができる。センサタイプは、センサのタイプを識別するための情報であり、例えば、英数記号半角４文字以内の文字列を用いることができる。センサタイプとして表示される文字列ＭＧ−Ｄ、ＭＧ−Ｗ、ＩＲ、ＪＡＬＯ、ＧＬＳ、ＳＨＵＴは、それぞれ、マグネットセンサ(ドア)、マグネットセンサ(窓)、インフラレッドセンサ、ジャロジーセンサ、ガラスセンサ、シャッターセンサを示す。
【００５１】
センサ名称は、センサ１２に付された名称であり、例えば、７文字以内（半角２文字、全角４文字、全角１文字）の文字列を用いることができる。なお、このセンサ名称は、後述するセンサ設定画面において入力された情報により自動的に設定される。撮影情報は、センサ１２の設置位置に対応する画像の撮影に関する情報であり、６文字以内（全角３文字、半角３文字）の文字列を用いることができる。ここで、表示「する／しない」は、センサ１２により異常が検出された場合に、その異常が検出されたセンサ１２に対して監視カメラ１１の光軸を向けて画像を撮影するように設定されているか否かを示す。また、表示「ＡＨＰ／ＡＰ」は、ポジションの種別を示し、具体的には、アラームホームポジション、アラームポジションをぞれぞれ示す。また、センサ登録がない場合には、図１１に示すように、リスト表示部３０２にはセンサ登録がないことをユーザに知らせる情報が表示される。
【００５２】
図１２は、インデックスメニュー画面表示時における遠隔操作装置４０の各操作およびそれに応じた動作の一覧を示す。方向キー５０の押圧により、設定項目間の移動などが行われる。機能キー７０の押圧により、所定の機能が実行される。例えば、[決定]キー５１の押圧により、インデックスメニュー表示欄３０１のセンサを選択している場合には、センサリスト表示部３０２の１行目にフォーカスが移動する。また、センサリスト表示部３０２の１項目を選択している場合には、後述するセンサリストコンテクストメニュー画面へ表示画面が遷移する。なお、このインデックスメニュー画面では、[接続]キー６８、[切断]キー６７等の機能キー７０は無効となっている。また、このインデックスメニュー画面では、テンキー６９の機能は無効となっている。
【００５３】
図１３は、センサリストコンテクストメニュー画面の一例を示す。図１３に示すように、このセンサリストコンテクストメニュー画面では、コンテクストメニュー３０３が表示される。このコンテクストメニューの項目としては、戻る、編集などがある。
【００５４】
図１４は、図１３に示したセンサリストコンテクストメニュー画面表示時における遠隔操作装置４０の操作およびそれに応じた動作の一覧を示す。方向キー５０の押圧により、設定項目間の移動が行われる。[決定]キー５１の押圧により、コンテクストメニュー３０３の[戻る]選択時には上述のインデックスメニュー画面に表示画面が遷移する。コンテクストメニュー３０３の[編集]選択時には後述のセンサ設定画面に表示画像が遷移する。このセンサリストコンテクストメニュー画面では、テンキー６９の機能は無効となっている。
【００５５】
図１５は、センサ設定画面の一例を示す。図１５に示すように、このセンサ設定画面は、住宅１内におけるセンサ１２の設置階数を設定するための設置階数設定欄３１１、センサ１２が設置された部屋を設定するための設置部屋設定欄３１２、設置された部屋内におけるセンサ１２の位置を特定するための設置位置設定欄３１３、アラームホームポジションおよびアラームポジションの選択および撮影の有無の設定をするための撮影設定欄３１４を備える。
【００５６】
設置階数設定欄３１１は、プルダウンメニューとなっており、このメニューは、Ｂ１、１Ｆ、２Ｆ、３Ｆなどの項目からなる。また、これら項目に当てはまらない場合に備えて空白の選択肢を設けるようにしてもよい。設置部屋設定欄３１２は、プルダウンメニューとなっており、このメニューは、台所、食堂、居間、主寝室、子供部屋、和室、洋室、浴室、洗面所、トイレ、玄関、階段、押し入れ、その他などの項目からなる。設置位置設定欄３１３は、プルダウンメニューとなっており、このメニューは、東、南、西、北、Ａ、Ｂ、Ｃ、Ｄ、Ｅなどの項目からなる。また、これら項目に当てはまらない場合に備えて空白の選択肢を設けるようにしてもよい。撮影設定欄３１４は、プルダウンメニューとなっており、このメニューは、する／アラームホームポジション、する／アラームポジション１、する／アラームポジション２、する／アラームポジション３、する／アラームポジション４、しない、などの項目からなる。
【００５７】
図１６は、図１５に示すセンサ設定画面表示時における遠隔操作装置４０の各操作およびそれに応じた動作の一覧を示す。方向キー５０の押圧により、設定項目間の移動が行われる。[決定]キー５１の押圧により、プルダウンメニューの表示や他の表示画面のへの遷移などが行われる。このセンサ設定画面では、テンキー６９の機能は無効となっている。
【００５８】
図１７は、この発明による宅内セキュリティ装置１０の異常発生時における動作を説明するためのフローチャートである。
まず、ステップＳ１において、プロセッサ１０１が、センサ１２から供給される信号に基づき、異常が発生したか否かを判別する。そして、ステップＳ１にて異常が発生したと判別した場合、ステップＳ２において、プロセッサ１０１が、ユーザ情報と、異常を検出したセンサ１２に対応するセンサ情報とをメモリ１０２Ｂから読み出す。
【００５９】
次に、ステップ３において、プロセッサ１０１が、メモリ１０２Ｂから読み出されたユーザ情報およびセンサ情報と、クロック部１０３により発生されたクロックに基づいて得られた時刻情報および日付情報とに基づき、テキスト情報を作成する。また、ユーザ情報に含まれる通知先情報（例えば、電話番号）を音声通信部１０９に供給する。さらに、作成されたテキスト情報を電子メールにより、ユーザ情報に含まれるメールアドレスを有する端末装置４に送信する。
【００６０】
図１８Ａおよび１８Ｂを用いて、テキスト情報作成方法について説明する。図１８Ａは、テンプレートの一例を示す。図１８Ｂは、図１８Ａに示すテンプレートを用いて作成されるテキスト情報の一例を示す。図１８Ａに示すように、このテンプレートは、センサ１２が異常を検出した際の日付（１）、（２）および（３）と、時刻（４）および（５）と、住宅１の住所（６）と、ユーザの氏名（７）と、異常を検出したセンサ１２が設置されている位置を示す設置位置（８）と、異常を検出したセンサ１２の種類（９）とに所定のデータを挿入するようになっている。図１８Ｂに示すように、図１８Ａに示すテンプレートの所定位置に日付情報、時刻情報、ユーザ情報およびセンサ情報を適宜挿入することによって、テキスト情報が作成される。なお、このテンプレートは、例えば不揮発性メモリ１０２Ｂに格納されている。
【００６１】
次に、ステップＳ４において、音声通信部１０９が、ユーザ情報に含まれる通知先情報に基づき、１または２以上の端末装置４と接続する。そして、ステップＳ５において、プロセッサ１０１が、ステップＳ３にて作成されたテキスト情報を音声化して１または２以上の端末装置４に通知する。
【００６２】
この発明の一実施形態によれば以下の効果を得ることをできる。
センサ１２により異常が検出された場合、ユーザ情報と、異常が検出されたセンサ１２に対応するセンサ情報とをメモリ１０２Ｂから読み出し、このユーザ情報およびセンサ情報に基づきテキスト情報を作成し、作成されたテキスト情報を音声化して１または２以上の端末装置４に通知するため、個々のユーザに応じた音声ガイドにより異常の発生を通知することができ、これにより、異常の発生をより的確にユーザに音声で通知することができる。
【００６３】
次に、この発明の他の実施形態について説明する。上述の一実施形態では、ユーザ情報に基づき１または２以上の端末装置４に接続し、音声ガイドにより異常の発生を通知する例について示したが、この他の実施形態では、ユーザ情報に基づき、優先順位が高い連絡先から低い連絡先に向かって順次音声ガイドにより異常の発生を通知する場合を例として示す。
【００６４】
図１９は、この発明の他の実施形態による宅内セキュリティ装置１０の異常発生時における動作を説明するためのフローチャートである。
まず、ステップＳ１０１において、プロセッサ１０１が、センサ１２から供給される信号に基づき、異常が発生したか否かが判別する。そして、ステップＳ１にて異常が発生したと判別した場合、ステップＳ１０２において、プロセッサ１０１が、ユーザ情報と、異常を検出したセンサ１２に対応するセンサ情報とをメモリ１０２Ｂから読み出す。
【００６５】
次に、ステップ３において、プロセッサ１０１が、メモリ１０２Ｂから読み出されたユーザ情報およびセンサ情報と、クロック部１０３により発生されたクロックに基づいて得られた時刻情報および日付情報とに基づき、テキスト情報を作成する。また、ユーザ情報に含まれる通知先情報（例えば、電話番号）を音声通信部１０９に供給する。さらに、作成されたテキスト情報を電子メールにより、ユーザ情報に含まれるメールアドレスを有する端末装置４に送信する。
【００６６】
そして、ステップＳ１０４において、音声通信部１０９が、ユーザ情報に含まれる通知先情報に基づき、最も優先順位が高い通知先、例えば電話番号１を有する端末装置４との接続を実行する。そして、ステップＳ１０５において、端末装置４と接続されたか否かを判別する。端末装置４と接続されたか否かは、例えば呼び出し音が途切れたか否かにより判別できる。
【００６７】
ステップＳ１０５にて最も優先順位が高い通知先の端末装置４に接続されたと判別された場合には、ステップＳ１０６において、プロセッサ１０１が、ステップＳ１０３にて作成されたテキスト情報を音声化して端末装置４に通知する。
【００６８】
ステップＳ１０５にて最も優先順位が高い通知先の端末装置４に接続されないと判別された場合には、ステップＳ１０４に戻り、次に優先順位の高い通知先、例えば電話番号２を有する端末装置４との接続を実行する。
【００６９】
以上、この発明の実施形態について具体的に説明したが、この発明は、上述の実施形態に限定されるものではなく、この発明の技術的思想に基づく各種の変形が可能である。
【００７０】
例えば、上述の実施形態において挙げた数値および構成などはあくまでも例に過ぎず、必要に応じてこれと異なる数値を用いてもよい。
【００７１】
また、上述した実施形態では、宅内セキュリティ装置１０が、異常の発生を通知する電子メールを端末装置４に送信する例について示したが、ＨＳサーバ２が、異常の発生を通知する電子メールを端末装置４に送信するようにしてもよい。例えば、宅内セキュリティ装置１０が、センサ１２から供給される信号に基づき、異常が発生したと判別した場合には、ユーザ情報に含まれるユーザＩＤおよび異常を検出したセンサ１２のセンサ番号を通信Ｉ／Ｆ１０８を介してＨＳサーバ２に送信する。ＨＳサーバ２は、宅内セキュリティ装置１０から受信したユーザＩＤおよびセンサ番号に基づきユーザ情報およびセンサ情報をデータベース９６から読み出し、読み出されたユーザ情報およびセンサ情報と、クロック部９０から発生されたクロックより得られた時刻情報および日付情報とに基づきテキスト情報を作成する。なお、時間情報および日付情報は、宅内セキュリティ装置１０から送信されるようにしてもよい。そして、作成されたテキスト情報を電子メールにより、ユーザ情報に含まれるメールアドレスを有する１または２以上の端末装置４に送信する。
【図面の簡単な説明】
【００７２】
【図１】この発明によるセキュリティシステムの概略を示す略線図である。
【図２】この発明によるセキュリティシステムをより詳細に示す略線図である。
【図３】この発明による宅内セキュリティ装置のメモリに格納された情報の一例を示す。
【図４】遠隔操作装置の一例を示す略線図である。
【図５】この発明による端末装置の構成の一例を示すブロック図である。
【図６】この発明によるＨＳサーバの構成の一例を示すブロック図である。
【図７】この発明によるＨＳサーバが有するデータベースのユーザ情報表の一例を示す略線図である。
【図８】この発明によるＨＳサーバが有するデータベースのセンサ情報表の一例を示す略線図である。
【図９】この発明による宅内セキュリティ装置に接続された監視カメラおよび複数のセンサの設置位置の一例を示す略線図である。
【図１０】センサ設定時におけるインデックスメニュー画面の一例を示す略線図である。
【図１１】センサ設定時におけるインデックスメニュー画面の一例を示す略線図である。
【図１２】インデックスメニュー画面表示時における各操作およびそれに応じた動作を説明するための略線図である。
【図１３】センサリストコンテクストメニュー画面の一例を示す略線図である。
【図１４】図８に示すセンサリストコンテクストメニュー画面表示時における各操作およびそれに応じた動作を説明するための略線図である。
【図１５】センサ設定画面の一例を示す略線図である。
【図１６】図１０に示すセンサ設定画面表示時における各操作およびそれに応じた動作を説明するための略線図である。
【図１７】この発明による宅内セキュリティ装置の動作を説明するためのフローチャートである。
【図１８】この発明による宅内セキュリティ装置において作成されるテキスト情報の一例を示す。
【図１９】この発明による宅内セキュリティ装置の動作を説明するためのフローチャートである。
【図２０】従来のセキュリティシステムの構成を示すブロック図である。
【符号の説明】
【００７３】
１・・・住宅、２・・・ＨＳサーバ、３・・・ＰＣ、４・・・携帯電話、１０・・・宅内セキュリティ装置、１１・・・監視カメラ、１２・・・センサ
【図１】
2005115835.tif 000003
【図２】
2005115835.tif 000004
【図３】
2005115835.tif 000005
【図４】
2005115835.tif 000006
【図５】
2005115835.tif 000007
【図６】
2005115835.tif 000008
【図７】
2005115835.tif 000009
【図８】
2005115835.tif 000010
【図９】
2005115835.tif 000011
【図１０】
2005115835.tif 000012
【図１１】
2005115835.tif 000013
【図１２】
2005115835.tif 000014
【図１３】
2005115835.tif 000015
【図１４】
2005115835.tif 000016
【図１５】
2005115835.tif 000017
【図１６】
2005115835.tif 000018
【図１７】
2005115835.tif 000019
【図１８】
2005115835.tif 000020
【図１９】
2005115835.tif 000021
【図２０】
2005115835.tif 000022